(57)【要約】【課題】フリーホイールユニットの内部で潤滑剤を分配するための手段を有するフリーホイールベルトプーリを提供する。【解決手段】フリーホイールベルトプーリ１が、引張手段伝動装置におけるねじり振動を減衰するために使用されていて、フリーホイールユニット２を有しており、該フリーホイールユニットが、アウタスリーブ１０とインナスリーブ１１とを有しており、アウタスリーブとインナスリーブとの間に、フリーホイールクラッチ７と、少なくとも１つの転がり軸受け８，９とが配置されており、フリーホイールクラッチの締付けエレメント１４と、転がり軸受けの転動体１５，１６とが、保持器１７に案内されている。保持器が、該保持器に外側で一体に結合された突起２３，２４，２５を有しており、該突起が、保持器の回転時にフリーホイールユニットの内部での潤滑剤の均等な分配を保証している。【選択図】図２
2013104492.tif 000002
【特許請求の範囲】
【請求項１】
フリーホイールベルトプーリ（１）であって、該フリーホイールベルトプーリ（１）が、引張手段伝動装置におけるねじり振動を減衰するために使用されていて、フリーホイールユニット（２）を有しており、該フリーホイールユニット（２）が、アウタスリーブ（１０）とインナスリーブ（１１）とを有しており、アウタスリーブ（１０）とインナスリーブ（１１）との間に、フリーホイールクラッチ（７）と、転がり軸受け（８，９）として形成された少なくとも１つの支持軸受けとが配置されており、フリーホイールクラッチ（７）の締付けエレメント（１４）と、転がり軸受け（８，９）の転動体（１５，１６）とが、保持器（１７）に案内されているフリーホイールベルトプーリにおいて、保持器（１７，２７，２８）が、該保持器（１７，２７，２８）に外側で一体に結合された突起（２３，２４，２５，２６）を有しており、該突起（２３，２４，２５，２６）が、保持器（１７，２７，２８）の回転時にフリーホイールユニット（２）の内部での潤滑剤の均等な分配を保証していることを特徴とする、フリーホイールベルトプーリ。
【請求項２】
保持器（１７，２７，２８）の、潤滑剤の分配のために設けられた突起（２３，２４，２５，２６）が、ほぼ半径方向に方向付けられており、かつ／または羽根状の横断面を形成している、請求項１記載のフリーホイールベルトプーリ。
【請求項３】
保持器（１７，２７，２８）の、前記潤滑剤を分配するための突起（２３，２４，２５，２６）が、横断面で見て翼状に形成されている、請求項１記載のフリーホイールベルトプーリ。
【請求項４】
保持器（１７）の、前記潤滑剤を分配するための突起（２４，２５）が、傾斜してまたは傾けられて交互に位置決めされている、請求項１記載のフリーホイールベルトプーリ。
【請求項５】
保持器（１７，２７，２８）の、前記潤滑剤を分配するための突起（２３，２４，２５，２６）が、保持器（１７，２７，２８）の少なくとも１つの中間ゾーン（２１，２２）に対応配置されており、該中間ゾーン（２１，２２）が、締付けエレメント（１４）と転動体（１５，１６）とを収容するために規定されたポケット（１８，１９，２０）の間に形成されている、請求項１記載のフリーホイールベルトプーリ。
【請求項６】
保持器（２８）の、前記潤滑剤を分配するための突起（２６）が、保持器（２８）の少なくとも一方の端面に位置決めされている、請求項１記載のフリーホイールベルトプーリ。
【請求項７】
保持器（２８）が、突起（２６）を介してフリーホイールユニット（２）のアウタスリーブ（１０）またはインナスリーブ（１１）の縁部（１２，１３）に案内されている、請求項６記載のフリーホイールベルトプーリ。
【請求項８】
保持器（１７，２７，２８）が、プラスチックまたは１つの金属薄板材料から製造されている、請求項１記載のフリーホイールベルトプーリ。
【請求項９】
保持器（１７，２７，２８）が、前記潤滑剤を分配するための突起（２３，２４，２５，２６）を含めてプラスチック射出成形法によって製造可能である、請求項８記載のフリーホイールベルトプーリ。
【請求項１０】
保持器（１７，２７，２８）が、前記潤滑剤を分配するための突起（２３，２４，２５，２６）を含めて１つの金属薄板材料からチップなしの変形加工法によって製造されている、請求項８記載のフリーホイールベルトプーリ。
【発明の詳細な説明】
【技術分野】
【０００１】
本発明は、フリーホイールベルトプーリであって、該フリーホイールベルトプーリが、引張手段伝動装置におけるねじり振動を減衰するために使用されていて、フリーホイールユニットを有しており、該フリーホイールユニットが、アウタスリーブとインナスリーブとを有しており、アウタスリーブとインナスリーブとの間に、フリーホイールクラッチと、転がり軸受けとして形成された少なくとも１つの支持軸受けとが配置されており、フリーホイールクラッチの締付けエレメントと、転がり軸受けの転動体とが、保持器に案内されているフリーホイールベルトプーリに関する。
【背景技術】
【０００２】
ベルト伝動装置における振動特性を減少させるための手段として、ドイツ連邦共和国特許出願公開第１０２００４０４０８１０号明細書に基づき、特にオルタネータを駆動するために、オーバランニングオルタネータプーリ（ＯＡＰ：Ｏｖｅｒｒｕｎｎｉｎｇ  Ａｌｔｅｒｎａｔｏｒ  Ｐｕｌｌｅｙ）とも呼ばれるフリーホイールベルトプーリを使用することが公知である。この公知のフリーホイールベルトプーリの構造は、フリーホイールと少なくとも１つの支持軸受けとを含むフリーホイールユニットを有している。このフリーホイールユニットでは、フリーホイールのインナスリーブとアウタスリーブとの間において、転がり軸受けの転動体が保持器に配置されている。フリーホイールユニットはオルタネータの駆動軸とベルトプーリとの間に挿入されていて、駆動部材の角速度がオルタネータの角速度よりも低くなった場合に駆動部材の分離を可能にする。これによって、内燃機関の回転むらと、これに相俟ったトルク変動とが、オルタネータの駆動部材に伝達されないことを保証することができる。摩擦減少および寿命の改善のためには、フリーホイールユニット内に潤滑剤が供給されている。
【先行技術文献】
【特許文献】
【０００３】
【特許文献１】ドイツ連邦共和国特許出願公開第１０２００４０４０８１０号明細書
【発明の概要】
【発明が解決しようとする課題】
【０００４】
本発明の課題は、フリーホイールユニットの内部で潤滑剤を分配するための手段を有するフリーホイールベルトプーリを提供することにある。
【課題を解決するための手段】
【０００５】
この課題を解決するために本発明に係るフリーホイールベルトプーリによれば、保持器が、該保持器に外側で一体に結合された突起を有しており、該突起が、保持器の回転時にフリーホイールユニットの内部での潤滑剤の均等な分配を保証している。
【０００６】
本発明に係るフリーホイールベルトプーリの有利な態様によれば、保持器の、潤滑剤の分配のために設けられた突起が、ほぼ半径方向に方向付けられており、かつ／または羽根状の横断面を形成している。
【０００７】
本発明に係るフリーホイールベルトプーリの有利な態様によれば、保持器の、前記潤滑剤を分配するための突起が、横断面で見て翼状に形成されている。
【０００８】
本発明に係るフリーホイールベルトプーリの有利な態様によれば、保持器の、前記潤滑剤を分配するための突起が、傾斜してまたは傾けられて交互に位置決めされている。
【０００９】
本発明に係るフリーホイールベルトプーリの有利な態様によれば、保持器の、前記潤滑剤を分配するための突起が、保持器の少なくとも１つの中間ゾーンに対応配置されており、該中間ゾーンが、締付けエレメントと転動体とを収容するために規定されたポケットの間に形成されている。
【００１０】
本発明に係るフリーホイールベルトプーリの有利な態様によれば、保持器の、前記潤滑剤を分配するための突起が、保持器の少なくとも一方の端面に位置決めされている。
【００１１】
本発明に係るフリーホイールベルトプーリの有利な態様によれば、保持器が、突起を介してフリーホイールユニットのアウタスリーブまたはインナスリーブの縁部に案内されている。
【００１２】
本発明に係るフリーホイールベルトプーリの有利な態様によれば、保持器が、プラスチックまたは１つの金属薄板材料から製造されている。
【００１３】
本発明に係るフリーホイールベルトプーリの有利な態様によれば、保持器が、前記潤滑剤を分配するための突起を含めてプラスチック射出成形法によって製造可能である。
【００１４】
本発明に係るフリーホイールベルトプーリの有利な態様によれば、保持器が、前記潤滑剤を分配するための突起を含めて１つの金属薄板材料からチップなしの変形加工法によって製造されている。
【発明の効果】
【００１５】
本発明は、潤滑剤をフリーホイールユニットの内部において、保持器に対応配置された付加的な突起によって分配するという思想に基づいている。フリーホイールユニット内での潤滑剤の分配は、フリーホイールベルトプーリの寿命および疲れ限度に対して重要である。本発明によれば、保持器が、回転時に潤滑剤をフリーホイールユニットの内部で均等に分配する突起に一体に結合されている。有利には、保持器のこの突起は、運転状態において、潤滑剤、特に潤滑グリースのより良好な十分な混合と、フリーホイールユニットの全ての回転構成部材もしくは運動構成部材の最適な負荷とを招く。この効果は、特に運転状態において、より高い温度が発生させられる場合に有利であり、これによって、保持器の回転運動が常に潤滑剤に渦流を発生させる。これによって、転動体の接触面もしくは締付けエレメントと、インナスリーブまたはアウタスリーブに設けられた対応面との間に十分な潤滑膜が形成される。さらに、本発明によって、潤滑剤でのフリーホイールユニットの有利なより高い充填度が可能となる。有利には、本発明によって、摩擦を著しく減少させることができ、フリーホイールユニットの故障を阻止することができる。また、本発明における手段に相俟ったフリーホイールベルトプーリが、有利には、より高い限界回転数に対して使用可能となる。
【００１６】
本発明の有利な態様によれば、保持器が、潤滑剤分配のために、ほぼ半径方向に方向付けられた、羽根状の横断面を形成する突起を有している。このような形式の突起に相俟った保持器の使用によって、フリーホイールユニットの内部で潤滑剤を、潤滑剤の要求が高い領域に適切に供給することが可能となる。羽根状の横断面に対して択一的には、保持器が、本発明によれば、翼状にまたはタービン羽根状に形成された突起を有していてよい。
【００１７】
有利には、フリーホイールユニットの保持器に周方向で配置された、潤滑剤を分配するための突起が、傾斜してまたは傾けられて交互に方向付けられている。このコンセプトは、同じく潤滑剤への渦流発生もしくは潤滑剤の分配に有利な影響を与える。
【００１８】
本発明によれば、保持器の突起が少なくとも保持器の中間ゾーンに配置されている。この中間ゾーンは、フリーホイールの締付けエレメントと転がり軸受けの転動体とに対して規定されたポケットの間に形成されている。本発明の有利な改良態様は、保持器の、潤滑剤を分配するための突起を、締付けエレメントと転動体との間の中間ゾーンだけでなく、保持器の少なくとも一方の端部面または端面にも位置決めすることを提案している。この態様では、保持器が端側の突起を介してフリーホイールユニットのインナスリーブまたはアウタスリーブの少なくとも一方の縁部に案内されているのと同時にインナスリーブまたはアウタスリーブの縁部に対する保持器の軸方向の間隔を規定していることが提案されている。
【００１９】
対応する突起を含めた本発明における保持器は、有利には媒体耐性を有するプラスチックまたは１つの金属薄板材料から製造されている。このためには、製造法として、特に多い個数に対して廉価なプラスチック射出成形法が使用されてよい。１つの金属薄板材料から成る保持器には、チップ（切削屑）なしの変形加工法または深絞り加工法が適している。
【００２０】
本発明の有利な更なる特徴は、本発明の実施の形態を示す以下の説明から明らかである。
【図面の簡単な説明】
【００２１】
【図１】公知先行技術におけるフリーホイールベルトプーリの断面図である。
【図２】本発明により形成された保持器の第１の実施の形態の展開図である。
【図３】本発明により形成された保持器の第２の実施の形態の斜視図である。
【図４】本発明により形成された保持器の第３の実施の形態の展開図である。
【発明を実施するための形態】
【００２２】
以下に、本発明を実施するための形態を図面につき詳しく説明する。
【００２３】
図１には、一般的な構造のフリーホイールベルトプーリ１が縦断面図で示してある。このフリーホイールベルトプーリ１はフリーホイールユニット２を有している。このフリーホイールユニット２は、半径方向内側でボス３によって仕切られかつ半径方向外側でブシュ４によって仕切られた構成スペース内に組み込まれている。ボス３は、たとえばオルタネータに対応配置された駆動軸５に相対回動不能に位置固定されており、ブシュ４はベルトプーリ６によって取り囲まれている。フリーホイールユニット２は、締付けころ式フリーホイールまたは締付け体式フリーホイールとして形成されたフリーホイールクラッチ７を有している。このフリーホイールクラッチ７の両側には、転がり軸受け８，９として形成された支持軸受けが対応配置されている。フリーホイールユニット２は、外側でアウタスリーブ１０によって仕切られ、内側でインナスリーブ１１によって仕切られる。両スリーブ１０，１１は、有利には、それぞれ摩擦接続的にブシュ４内に圧入されているかまたはボス３にプレス嵌めされている。フリーホイールクラッチ７の締付けエレメント１４と、転がり軸受け８，９の転動体１５，１６とは、保持器１７内に挿入されていて、案内されている。アウタスリーブ１０の両側に一体成形された、半径方向内側に向けられた縁部１２，１３は、それぞれ保持器１７に対する軸方向ストッパを形成している。個々の構成要素を潤滑するためには、フリーホイールユニット２が部分的に潤滑剤、特に潤滑グリースで充填されている。
【００２４】
図２には、保持器１７が詳細図で示してある。この保持器１７は、互いに異なる形で形成された２種類のポケットを有している。これらのポケットは、締付けエレメント１４と転動体１５，１６とを収容しかつ案内するために設けられている。長方形に形成された中央のポケット１８は締付けエレメント１４に対して規定されており、別の側方のポケット１９，２０は転動体１５，１６に対して規定されている。保持器１７の中間ゾーン２１，２２には、半径方向に方向付けられた突起２３，２４，２５が周方向で互いに間隔を置いて配置されている。この突起２３，２４，２５は、フリーホイールベルトプーリ１の運転状態において、フリーホイールユニット２の内部で潤滑剤を有効に分配する。この潤滑剤の分配に影響を与えるためには、保持器１７が、種々異なる形で成形された突起を有している。半径方向の付設部として形成された突起２３のほかに、保持器１７は、羽根状のまたは翼状の横断面を備えた突起２４，２５を有している。互いに逆方向に方向付けられた突起２４，２５を交互に配置することによって、所望の最適な潤滑剤分配を実現することができる。これに対して択一的には、保持器１７に専ら、たとえば突起２４だけを装着することが提案される。
【００２５】
図３には、フリーホイールベルトプーリ１に対して規定された保持器２７が詳細な斜視図として示してある。図３のフリーホイールベルトプーリ１では、フリーホイールユニット２の片側にしか転がり軸受けが対応配置されていない。したがって、保持器２７はただ１つの中間ゾーン２１しか形成していない。この中間ゾーン２１は、専ら半径方向に方向付けられた突起２３だけを有している。
【００２６】
図４には、別の保持器変化形態が示してある。この保持器変化形態によれば、保持器２８が、図３に示した中間ゾーン２１の範囲に設けられた突起２３に対して補足的に、一方の端面２９に対応配置された、半径方向に方向付けられた突起２６を有している。この突起２６は、保持器２８の、同時に潤滑剤蓄え部として働く端面側の歯形成形部を形成している。突起２６を外側に配置することによって、保持器２８が、組付け状態において、突起２６を介してアウタスリーブ１０の縁部１２；１３に直接支持されている。
【符号の説明】
【００２７】
１  フリーホイールベルトプーリ
２  フリーホイールユニット
３  ボス
４  ブシュ
５  駆動軸
６  ベルトプーリ
７  フリーホイールクラッチ
８  転がり軸受け
９  転がり軸受け
１０  アウタスリーブ
１１  インナスリーブ
１２  縁部
１３  縁部
１４  締付けエレメント
１５  転動体
１６  転動体
１７  保持器
１８  ポケット
１９  ポケット
２０  ポケット
２１  中間ゾーン
２２  中間ゾーン
２３  突起
２４  突起
２５  突起
２６  突起
２７  保持器
２８  保持器
２９  端面
【図１】
2013104492.tif 000003
【図２】
2013104492.tif 000004
【図３】
2013104492.tif 000005
【図４】
2013104492.tif 000006